(57)【特許請求の範囲】
【請求項１】
上方の全面開口された容器本体内に清拭シートを収容し、該容器本体の開口部を、清拭シート取出孔を有する被覆シートで被覆し、且つ該清拭シート取出孔を、該被覆シートに剥離自在に貼着された開閉蓋用ラベルにより開閉自在とするようにした清拭シート収容容器であって、
上記開閉蓋用ラベルは、摘み部を有する剥離自在部と、該剥離自在部に連設される剥離停止部と、該剥離自在部の剥離を該剥離停止部にてストップさせる一対の切込み部とからなり、
上記容器本体の外周面に補強用のリブが設けられており、上記開口部は、上記被覆シートを剥離して該容器本体に蓋体を装着可能に形成してあり、且つ上記蓋体は、上記清拭シートを取り出す取出口を開閉する開閉蓋を有していることを特徴とする清拭シート収容容器。
【発明の詳細な説明】
【０００１】
【発明の属する技術分野】
本発明は、ウエットティッシュやおしり拭き等の如き清拭シートを収容する清拭シート収容容器に関し、詳しくは、潰れ難く、取り扱い性に優れた清拭シート収容容器に関する。
【０００２】
【従来の技術及び発明が解決しようとする課題】
一般に、ウエットティッシュやおしり拭き等の如き清拭シート１０１は、例えば図９に示すような収容体１０２に収容されている。かかる収容体１０２は、携帯性等を考慮して軟質のフィルム材料を筒状とした後、その開口された両端部を封着することによって形成されている。
【０００３】
そして、この収容体１０２には、その内部に収容した清拭シート１０１を取り出すための取出し口１０３が設けられている。この取出し口１０３は、収容体１０２に対して剥離自在に貼着された開閉蓋用ラベル１０４により被覆されている。
【０００４】
清拭シート１０１を取り出すには、開閉蓋用ラベル１０４の一端側に設けられた摘み１０５を持って収容体１０２からその一部を引き剥がすことによって、上記取出し口１０３を開放するようにする。清拭シート１０１を取り出さないときは、上記取出し口１０３を開閉蓋用ラベル１０４によって塞いだ状態とする。
【０００５】
しかし、この収容体１０２では、該収容体１０２が柔らかいフィルムから形成されているため、使用しているうちに潰れてしまい、開閉蓋用ラベル１０４による上記取出し口１０３の密閉性が低下し、気散、衛生面または取り扱い性に問題がある。
【０００６】
このため、特表平７−５０４６３７号公報に記載されるように、剛性の高い材料によって形成した蓋付きの容器に、清拭シートを収容した収容体を収納するようにした収容装置が提案されている。
【０００７】
この収容装置によれば、剛性の高い材料によって形成した蓋付きの容器に、収容体を収納しているため、上記の問題は解消される。
しかし、清拭シートを使い終わった後に新たな収容体を詰め替える場合、収容装置の蓋を外し、空となった柔らかいフィルムからなる収容体を取り出した後、次の新たな収容体を収容し、その収容体に貼着されている開閉蓋用ラベルを剥がした後、蓋を取り付けるという煩わしさがあった。
【０００８】
従って、本発明の目的は、潰れ難く、取り扱い性に優れた清拭シート収容容器を提供することにある。
【０００９】
【課題を解決するための手段】
本発明は、上方の全面開口された容器本体内に清拭シートを収容し、該容器本体の開口部を、清拭シート取出孔を有する被覆シートで被覆し、且つ該清拭シート取出孔を、該被覆シートに剥離自在に貼着された開閉蓋用ラベルにより開閉自在とするようにした清拭シート収容容器であって、上記開閉蓋用ラベルは、摘み部を有する剥離自在部と、該剥離自在部に連設される剥離停止部と、該剥離自在部の剥離を該剥離停止部にてストップさせる一対の切込み部とからなり、上記容器本体の外周面に補強用のリブが設けられており、上記開口部は、上記被覆シートを剥離して該容器本体に蓋体を装着可能に形成してあり、且つ上記蓋体は、上記清拭シートを取り出す取出口を開閉する開閉蓋を有していることを特徴とする清拭シート収容容器を提供することにより、上記の目的を達成したものである。
【００１０】
【発明の実施の形態】
以下、本発明を適用した清拭シート収容容器の一実施形態について、図面を参照して説明する。
図１は清拭シート収容容器の斜視図、図２は清拭シート収容容器に設けられる開閉蓋用ラベルを剥がした状態を示す斜視図、図３は容器本体内に収容される清拭シートの斜視図、図４は蓋体を装着可能に形成した開口を有する容器本体の斜視図、図５は容器本体に蓋体が装着され、その蓋体に設けてある開閉蓋を開いた状態を示す斜視図である。
【００１１】
本実施形態の清拭シート収容容器は、図１及び図２に示すように、上方の全面開口された容器本体１内に清拭シート２を収容し、該容器本体１の開口部を、清拭シート取出孔３を有する被覆シート４で被覆し、且つ該清拭シート取出孔３を、該被覆シート４に剥離自在に貼着された開閉蓋用ラベル５により開閉自在とするようにした清拭シート収容容器である。
【００１２】
本実施形態の清拭シート収容容器について更に説明する。
清拭シート２は、例えばパルプ不織布に清拭剤を含浸させたものであり、ウエットティッシュやおしり拭き用のシートとして用いられるものである。かかる清拭シート２は、図３に示すように、各シートがその上下のシートと噛み合った状態で折り畳まれていわゆるポップアップ式に取り出し可能に、容器本体１に収容されるようになっている。
【００１３】
容器本体１は、上記のようにポップアップ式に折り畳まれた複数枚の清拭シート２を収容するに足る大きさとされた長方体をなす容器として形成されている。この容器本体１は、例えばＰＰ（ポリプロピレン）、ＰＶＣ（ポリ塩化ビニル）、ＰＥ（ポリエチレン）、ＰＥＴ（ポリエチレンテレフタレート）等からなるプラスチックシート成形材料を金型を用いて賦形して製作する、いわゆるシート成形によって形成されている。
【００１４】
また、この容器本体１は、清拭シート２を取り出す際に簡単に潰れてしまわないように、その厚みが３００〜１０００μ程度とされている。さらに、容器本体１の外周面には、該容器本体１の機械的強度をより一層高めるために、補強用のリブ６が設けられている。かかるリブ６は、容器本体１の一部を内側より外側に向けて張り出した断面略円弧状をなす突起として形成され、該容器本体１をシート成形する際に同時に形成されている。
【００１５】
容器本体１の長手方向における両側面に設けられるリブ６は、開口側と底面側にそれぞれ該容器本体１の深さ方向に沿って短冊状をなす突起として、所定間隔を隔てて形成されている。一方、容器本体１の短辺方向における両側面に設けられるリブ６は、該容器本体１の深さ方向全体に亘ってストライプ状をなす突起として、所定間隔で複数設けられている。
【００１６】
これらリブ６が容器本体１の外周面に設けられることによって、容器自体の機械的強度が高まり、多少の外力によっては容器本体１が潰れることがないようになっている。
【００１７】
そして、この容器本体１は、図３に示すように、ポップアップ式に折り畳まれた清拭シート２を収容するための開口部７を有している。かかる開口部７は、容器本体１の上方が全面開口された平面略矩形状をなす開口として形成されている。この開口部７の開口周縁部には、該開口部７を被覆する被覆シート４を貼着させるためのフランジ部８が形成されている。かかるフランジ部８は、上記開口部７の開口周縁部に、外方へ張り出して設けられるつば部として形成されている。
【００１８】
そして、このフランジ部８には、上記開口部７を被覆するようにして、上記被覆シート４が設けられている。かかる被覆シート４は、容器本体１の蓋としての機能をする他、清拭シート２の気散を防止するようになっている。また、この被覆シート４の中央部には、容器本体１内に収容された清拭シート２を取り出すための清拭シート取出孔３が設けられている。
【００１９】
上記開閉蓋用ラベル５は、図１及び図２に示すように、清拭シート取出孔３を覆うに足る大きさとされ、感圧接着剤によって、上記被覆シート４に対し剥離自在に貼着されている。この開閉蓋用ラベル５は、摘み部１７を有する剥離自在部１８と、この剥離自在部１８に連設される剥離停止部１９と、該剥離自在部１８の剥離を剥離停止部１９にてストップさせる一対の切込み部２０，２０とからなっている。
【００２０】
一対の切込み部２０，２０は、清拭シート取出孔３に対して外れた位置に、平面略Ｕ字状をなすスリットとして、その開放側を剥離停止部１９側に向けて設けられている。この切込み部２０，２０が設けられることにより、図１に示す閉塞状態から摘み部を持って開閉蓋用ラベル５を剥離すると、図２に示すように、剥離停止部１９を残してこの切込み部２０，２０で剥離がストップする。つまり、開閉蓋用ラベル５を被覆シート４より引き剥がした場合、上記切込み部２０，２０で剥離がストップし、それ以上剥離が進行しないようになっている。
【００２１】
以上のように構成された清拭シート収容容器によれば、開閉蓋用ラベル５を被覆シート４より引き剥がして清拭シート２を取り出す場合、容器本体１を手で押さえる必要があるが、該容器本体１にはリブ６が設けられているため、その場合でも簡単には容器本体１が潰れたりするようなことがない。また、この清拭シート収容容器をバック等に入れて持ち運びするような場合でも、やはり容器本体１が潰れることがなく、取り扱い性が極めてよい。
【００２２】
而して、本実施形態の清拭シート収容容器においては、上記開口部７は、上記フランジ部８に貼着された被覆シート４を剥離して該容器本体１に、図４に示す如き蓋体９を装着可能に形成してある。
【００２３】
上記蓋体９は、図４及び図５に示すように、容器本体１の開口部７を覆って、上記容器本体１に対して着脱自在に装着可能となっている。この蓋体９には、図５に示すように、清拭シート２を取り出す取出口１０を開閉する開閉蓋１１が設けられている。かかる開閉蓋１１は、略円形状をなす蓋として形成され、上記蓋体９と該開閉蓋１１との間に亘って設けられたウレタン等からなる弾性部材１２によって、常時図５に示す開蓋状態となるようになされている。
【００２４】
上記開閉蓋１１を図４に示すように閉じた状態にしておくには、図５に示すように、上記取出口１０の外周囲に設けられた円環状の蓋固定部１３に設けられる凹部（図示は省略する。）と、該蓋固定部１３の外周囲に嵌合し、上記開閉蓋１１の内面に設けられた円環状の嵌合部１４に設けられる突起（図示は省略する。）とを嵌合させる。このように、これら凹部と突起とを嵌合させれば、上記開閉蓋１１が図４に示す閉蓋状態となる。
【００２５】
一方、開閉蓋１１を開蓋させるには、上記蓋体９の一部をへこませた一対の開蓋ボタン部１５，１６を下方に押し込むようにする。この開蓋ボタン部１５，１６を押し込むと、その押し込み力によって蓋体９が弾性変形し、その蓋体９の変形によって上記受け部１３の凹部と嵌合部１４の突起との係合が解除される。そして、上記弾性部材１２の付勢力によって、上記開閉蓋１１が自動的に図５に示すように開く。
【００２６】
このように、被覆シート４を剥離して容器本体１に蓋体９を装着して使用する場合には、蓋体９に設けた開蓋ボタン部１５，１６を押す際に容器本体１にかなりの力が加わるが、該容器本体１には補強用のリブ６が設けられているため、簡単には容器本体１が潰れるようなことはない。このように、かなりの荷重が容器本体１に加わったとしても、たやすく容器本体１が潰れる虞はない。
【００２７】
以上、本発明を適用した具体的な実施形態について説明したが、本発明の清拭シート収容容器は、上述した実施形態に限定されることなく、本発明の趣旨を逸脱しない限り適宜変更が可能である。
例えば、容器本体１の長手方向における両側面に設けたリブ６は、開口側と底面側にそれぞれ該容器本体１の深さ方向に沿って短冊状をなす突起として形成したが、該容器本体１の深さ方向全体に亘ってストライプ状をなす突起として形成してもよい。
【００２８】
また、開閉蓋用ラベル５に関しては、清拭シート取出孔３を塞ぐことができれば、特にその形状については制限されない。また、この開閉蓋用ラベル５に形成される切込み部２０，２０の形状についても、剥離自在部１８を剥離停止部１９を残して剥離をストップできれば、上述した実施形態の形状には制限されない。切込み部２０，２０の形状については、例えば、次のような形状が挙げられる。
【００２９】
図６に示す切込み部２１，２１は、剥離停止部１９側に開放側を向けて平面略Ｕ字状をなすスリットとして形成し、その開放側のスリット終端に円形孔を形成したものである。
図７に示す切込み部２２，２２は、開閉蓋用ラベル５の両側縁より内方に向かって斜めにスリットを形成し、そのスリット終端に円形孔を形成したものである。
図８に示す切込み部２３，２３は、開閉蓋用ラベル５の両側縁より内方に向かって斜めにスリットを形成し、そのスリット終端にそれぞれ逆向きの平面略Ｊ字状のスリットを形成したものである。
【００３０】
また、上記被覆シート４を剥離して容器本体１に装着される蓋体９は、上述した実施形態のものに制限されることはない。
【００３１】
【発明の効果】
本発明によれば、潰れ難く、取り扱い性に優れた清拭シート収容容器を提供することができる。
【図面の簡単な説明】
【図１】本発明の清拭シート収容容器の斜視図である。
【図２】本発明の清拭シート収容容器に設けられる開閉蓋用ラベルを剥がした状態を示す斜視図である。
【図３】本発明の清拭シート収容容器における容器本体内に収容される清拭シートの斜視図である。
【図４】本発明の清拭シート収容容器における蓋体を装着可能に形成した開口を有する容器本体の斜視図である。
【図５】本発明の清拭シート収容容器における容器本体に蓋体が装着され、その蓋体に設けてある開閉蓋を開いた状態を示す斜視図である。
【図６】開閉蓋用ラベルに形成される切込み部の他の例を示す平面図である。
【図７】開閉蓋用ラベルに形成される切込み部のさらに他の例を示す平面図である。
【図８】開閉蓋用ラベルに形成される切込み部のさらに他の例を示す平面図である。
【図９】従来の清拭シートを収容する収容体の斜視図である。
【符号の説明】
１  容器本体
２  清拭シート
３  清拭シート取出孔
４  被覆シート
５  開閉蓋用ラベル
６  リブ
９  蓋体
【図１】
0003685858.tif 000002
【図２】
0003685858.tif 000003
【図３】
0003685858.tif 000004
【図４】
0003685858.tif 000005
【図５】
0003685858.tif 000006
【図６】
0003685858.tif 000007
【図７】
0003685858.tif 000008
【図８】
0003685858.tif 000009
【図９】
0003685858.tif 000010